(57)【要約】【課題】簡易かつ安価に設置できて圧死を免れるだけでなく通常時には衣服の収納用として機能し得るようにした安全防護装置を提供すること。【解決手段】３本以上の縦フレームと、これら縦フレームの上部及び下部間をそれぞれつなぐ上フレーム及び下フレームとを有する立体枠状のもので、その枠の１つが出入り口用の枠になっており、内部に衣服を吊り掛ける手段が設けられるとともに内部に避難空間を有する避難用安全クローゼットである安全防護装置。【選択図】図１
2008006279.tif 000002
【特許請求の範囲】
【請求項１】
３本以上の縦フレームと、これら縦フレームの上部及び下部間をそれぞれつなぐ上フレーム及び下フレームとを有する立体枠状のもので、その枠の１つが出入り口用の枠になっており、内部に衣服を吊り掛ける手段が設けられるとともに内部に避難空間を有する避難用安全クローゼットである安全防護装置。
【発明の詳細な説明】
【技術分野】
【０００１】  本発明は、地震発生に伴う家屋倒壊から人を護るための安全防護装置に関する。
【背景技術】
【０００２】  日本においては地震が活動期に入り、大きな地震が頻発しているのが現状である。地震が発生すると、場合によっては家屋（マンションも含む）が倒壊し、そのままでは圧死を招く。
【発明が解決しようとする課題】
【０００３】  こうした圧死対策として、家屋を補強すればよいが、現在のところ簡易で安価な施工方法はないのが実状である。
上記に鑑み、本発明は、簡易かつ安価に設置できて圧死を免れるだけでなく通常時には衣服の収納用として機能し得るようにした安全防護装置を提供することを目的とする。
【課題を解決するための手段】
【０００４】  上記課題を解決するため、請求項１記載の発明は、３本以上の縦フレームと、これら縦フレームの上部及び下部間をそれぞれつなぐ上フレーム及び下フレームとを有する立体枠状のもので、その枠の１つが出入り口用の枠になっており、内部に衣服を吊り掛ける手段が設けられるとともに内部に避難空間を有する避難用安全クローゼットである安全防護装置。
【発明の効果】
【０００５】  本発明によれば、３本以上の縦フレームと、これら縦フレームの上部及び下部間をそれぞれつなぐ上フレーム及び下フレームとを有する立体枠状のもので、その枠の１つが出入り口用の枠になっており、内部に衣服を吊り掛ける手段が設けられるとともに内部に避難空間を有する避難用安全クローゼットであるので、簡易かつ安価に設置できて圧死を免れるだけでなく通常時には衣服の収納用として機能し得るようにした安全防護装置を提供することができる。
【発明を実施するための最良の形態・実施例】
【０００６】  以下、本発明を各実施形態によって詳細に説明するが、各実施形態で説明する内容は、他の実施形態にも同様に適用がある。
【０００７】  図１は避難用安全クローゼットについての実施形態を示すもので、５０は耐震フレームで、左右一対の縦フレーム５０ａとその上端間を結ぶ上フレーム５０ｂとを曲げパイプ製として門形に形成するとともに底フレーム５０ｃを連結して全体として縦長矩形枠としたもので、その４枠（３あるいは５枠以上でもよい）を立体４面を形成するように組み合わせて上連結材５１や下連結材５２、それに縦フレーム相互の連結具（図示省略）で強固に一体化してなるもので、矢印１Ｎの１面を開放状にして残るａ、ｂ、ｃ、ｄの４面を覆いで被覆するようにしたものである。
上連結材５１、下連結材５２はｘ点やｙ点で耐震フレーム５０に脱着自在に連結するようにしてもよい。
矢印ＩＮの１面も簡易に開くように覆いを付けても良い。
上連結材５１の上に耐震板を付したり、上連結材５１に代えてこの耐震板のみで構成してもよい。
上面の耐震板と仮想線で示す３面の上周り板Ｓとにより上部耐震枠を構成するようにしてもよい。
上下の連結材５１，５２間には、耐震突っ張り材である中心軸５３が設けられ、その上部には回転サークル５４が設けられてハンガーなどを介して多数の衣服５５．．．が掛けられるようになっている。
そして、床板５６や周ガード板５７によりこの災害避難装置が倒れることがあっても手や腕が挟まれないようにすることができる。
この装置は、通常は衣服収納に使える一方、地震が発生した際にはその内部空間に避難して安全を確保することができるようになっている。避難の際には内部が衣服類であるので、飛び込んでも非常に安全であるだけでなくこれら衣服類は外部からの害から避難者を有効に護る。
同図右下欄は、十字形とした下連結材５２′の端部に耐震フレーム５０の基部を溶接固定したもので、その他、耐震フレーム５０は、内倒れ式に５°程度傾斜してあるため、フレーム全体の耐震強度がアップするものになっている。
尚、２本が平行になった縦フレーム５０ａ周りには、飛び込んだ際の安全のためウレタンやゴムなどのクッション５８を外包装備することがある。図示では短くされているが、実際には上下に長いものが適当である。
また、装置の中には、収納ケース５９を設置しておくことがある。この場合、同ケース５９は、内部に非常用食料や飲料水、報知品などを常備しておくと地震発生時などに有用である。また、同ケース５９はそのまま椅子としても機能するが、避難で飛び込んだ際にい避難者の脚に当らないように外面をソフトなもので仕上げるとよい。
【０００８】  図２は耐震型ベビーベッドについて付加的な提案例を示す。同ベッドは、支柱６０．．．周りに連結材６１や前柵６２などを備えて耐震構造体とされたもので、特に、その上部には、矢印のように手前に引いて閉めたり逆に押して開いたりすることのできる耐震型シャッター６３がアーチ６４によるガイドで開閉自在に設けられている。
【０００９】  図３は他の実施形態を示す。既設木造家屋の例えば、リビング２００内での耐震補強方法とその構造を示すもので、同実施形態は、補強効果の高い斜材をＸ字形に組み合わせた裏補強基材２０１を立壁２０２に固定して補強を図るものであって、家具（収納・非収納型の双方を含む）２０３を設置すべき個所に対応する既設縦桟（間柱や柱を含む）２０４あるいは横桟（縦横両桟のときもある）の位置を柱センサーでキャッチしておいて、その位置標示に基づいて裏補強基材２０１を対向設置してビス２０５．．．で縦桟２０４に対応する個所を止め付ける。裏補強基材２０１は、木材でも樹脂材でも金属材でもよい。
【００１０】  こうして裏補強基材２０１が固定され補強された状態のもとで家具２０３をその前面にセットする。家具２０３と裏補強基材２０１とを家具の転倒防止のために連結してもよく、その場合、家具２０３の裏板を介して固定したりその他の方法を採る。同実施形態では、家具２０３は通常の家具同様の仕様をもつものであるが、この家具２０３それ自体を耐震構造としてもよい。この場合、家具２０３の裏板を直接縦桟２０４に止め付けることがある。
尚、前記家具２０３は、大型の額であったり、前記実施形態のような耐震ベッドガードのこともある。額の場合は収納部付きでもよい。
【００１１】  図４は他の実施形態を示す。同実施形態は、裏補強基材２０８が斜め平行隣接型とされたもので、複数枚の基材２０８同士が相互摩擦するようにしてある。水平方向の複数枚の板で構成してもよい。尚、基材２０８相互間には、ゴムなどの緩衝材を挟んでおいて緩衝作用をするようにしてもよい。
【００１２】  図５および図６は他の実施形態を示す。Ａ，Ｂは大きい側と小さい側の収納ボックスで、同ボックスＡ，Ｂは、上下左右壁と裏壁とを有して剛強に作られた前面開口状をしたものを本体２１１とし、その前面開口には、これも剛強な抵抗扉２１２が開閉自在に取り付けられている。なお、ボックスＡの開口横幅は縦桟２１４のピッチよりも大きく設定してある。ボックスＢは縦桟２１４のピッチよりも小さくてもよい。
【００１３】  これら大きさの違うボックスＡ，Ｂのうち大きいボックスＡの１つを図５のように裏壁が縦桟２１４，２１４の双方に亘るように下段に設置したあとビス２１３．．．で縦桟２１４に止め付ける。このボックスＡの横に小さいボックスＢを連結具２１５により止めつけて上面が面一となるように固定するとともに、下段のボックスＡ，Ｂの上に他のボックスＡ，Ｂを組み付けて連結具（ビスあるいはボルトナットなど）２１５により連結する。上段のボックスＡ，Ｂ同士および下段のボックスＡ，Ｂとも連結固定する。
【００１４】  尚、ボックスを大きさの違いものの組み合わせにしたのは、例えば、図５の上段の左側のボックスＢを大きいボックスＡにすると左端のリビング立壁との関係で収まりにくくなるが、図のように少し小さいボックスＢを組み合わせることで余裕をもって室内に収まるようになることによる。しかし、全てを同じ大きさのボックスで構成することもできる。例えば、ボックスＡのものを共通ボックスとし、上下に同じボックスＡ．．．を重ねその側方にも同じ積み重ねボックスＡを．．．というように縦横配置にすることで行える。
また、例えば、ボックスＡについては、図５の左下のものに仮想線で示すように、左右分割型で合体可能なものにし、その１つを小ボックスａとし、それを２個組み合わせたものがボックスＡと同様の幅をもつようにすれば縦桟２１４に止め付けることができるようになる。
さらに、前記抵抗扉２１２は地震発生時に本体２１１が変形してもその際に抵抗部材として機能するが、省略することもある。
また、前記本体２１１および扉２１２は、木材・プラスチック・鉄材・アルミ材などを使用することができ、特に強固なプラスチックで一体成形すると軽く施工に有利である。
さらに、図６の右上欄に示すように、収納ボックスに代えて額を構成することがあり、その場合、その裏板２１７を縦桟２１４側に固定したあと額縁２１８を取り付けるようにする。この額には収納部を一体あるいは別体で付属させることができる。
【００１５】  図７および図８は他の実施形態を示す。同実施形態は、例えば、リビング（和室や他の個人部屋でもよい）内のコーナーに耐震性のシェルター２２１を設置するに当たってこのシェルター２２１それ自体が家屋の耐震補強を兼ねるようにしたものであり、それに加えて直交配置した収納型家具（非収納型でもよい）２２２，２２２が協働して補強のために寄与するようにしたものである。シェルター２２１のみでもよい。
【００１６】  シェルター２２１は、上壁２２３・下壁２２４・奥壁２２５・前脇壁２２６からなり、これらの壁は、木材・プラスチック・金属板などいずれを使ってもよく、これらの材料を組み合わせることもできる。このシェルター２２１は箱体構造であるが、適数本の支柱による軸組み構造にしてもよい。２２７は中央支柱で、シェルター２２１の補強になるとともに図７のように避難者の抱持ポール役も兼ねる。２２８はクッション材で、中央支柱２２７の外周に被覆されて避難者が当たっても安全なようにし揺れても安定であるようにする。
【００１７】  ２３０は緩衝材で、シェルター２２１の上面に設けられるとともに、その上に天板２３１が覆設されている。これら２３０，２３１はシェルター２２１に定着式とする。緩衝材２３０は粘着ゲル材を使用してもよい。シェルター２２１は、上からみると、図８に示すように、完全に四角形のものでなく、２つの前側の辺をつなぐ部分が丸くなっている。これはデザイン性に優れることは基より非常時にぶつかりにくくその一方で避難空間を広めにとることができることによる。しかし、非常時の安全性のため、さらにクッション材を被着しておくこともできる。２３２はスリップ止めシートである。
2008006279.tif 000003
することができる。また、内部には非常食料・飲料水等の必要品を常備可能とする他、消火器やライトなどをも常備可能とする。これらは吊り下げ方式にしてもよいし、別途収納ケースを設けてこれに収めるようにしてもよい。この収納ケースは、縦軸（中央支柱２２７回りに設けてもよい）回りにスイング可能にしてシェルター２２１外部と内部に出入り自在にしておけば交換や補充が楽にできる。
【００１８】  こうしたシェルター２２１は、図８の平面図のように、家屋の既設支柱や縦桟（間柱などを含む）に対して止着具２３４．．．により連結することもできる。前記家具２２２も耐震構造になっている。同家具２２２は、縦桟（間柱や本柱などを含む）に対してならびにシェルター２２１に対してそれぞれ止着具２３４．．．により連結固定することができる。こうすることにより、家屋の側の倒壊が防止される。特に、同実施形態のように、部屋の直交する面に配備した柱類を直交配置したシェルター２２１・家具２２２，２２２により連結することにより縦横方向への揺れに対して有効に抵抗する。尚、２３５はＴＶであり、同ＴＶ２３５は、シェルター２２１内や家具２２２内に設置しておくことができ、特に、シェルター２２１内に対しては非常時には図２２の矢印のように旋回して回避可能にして避難時に邪魔にならないようにしておく。
尚、２３６は幅木で、シェルター２２１および家具２２２の裏面はこの幅木２３６で立壁に対して浮いた関係になることもあってその間に裏板２３７を固定しておいてこの裏板２３７を通じてシェルター２２１や家具２２２などを家屋側に固定してある。
【００１９】  図９および図１０は他の実施形態を示す。同実施形態は、例えば、リビング（和室や他の個人部屋でもよい）内のコーナーに耐震性のシェルター２３９を設置するに当たってこのシェルター２３９それ自体が家屋の耐震補強を兼ねるようにしたものであり、それに加えて直交配置した収納型家具（非収納型でもよい）２４０，２４０が協働して補強のために寄与するようにしたものである。シェルター２３９のみでもよい。
【００２０】  シェルター２３９は、上壁２４１・下壁２４２・奥壁２４３・前脇壁２４４からなり、これらの壁は、木材・プラスチック・金属板などいずれを使ってもよく、これらの材料を組み合わせることもできる。このシェルター２３９は箱体構造であるが、適数本の支柱による軸組み構造にしてもよい。２４５は中央支柱で、シェルター２３９の補強になるとともに図１０のように避難者の抱持ポール役も兼ねる。
【００２１】  ２４６は緩衝材で、シェルター２３９の上面に設けられる。シェルター２３９は、上からみると図７，８と同様の形状であるが、高さｈ１だけは１９０ｃｍ前後の高いものとされている。これに対して、家具２４０は、シェルター２３９と同じ高さにしてあるが、図１０に仮想線で示すように、シェルター２３９より少し低いｈ２としたり、それよりさらに一段と低いｈ３としてもよい。逆に家具２４０の高さをＨのようにシェルター２３９の高さｈ１よりも高くすることにより地震発生時に家具２４０がシェルター２３９の防護役となってより確実に避難することを保障する。
尚、シェルター２３９の中央支柱２４５を利用してハンガーリング２４７を回転自在に取り付け、同リング２４７にハンガー２４８．．．を掛け吊りして回転ハンガーを構成することもできる。
また、シェルター２３９内部には非常食料・飲料水等の必要品を常備可能とする他、消火器やライトなどをも常備可能とすることができる。そのため、シェルター３９内には、コーナースペースなどを利用して収納ケース２４９．．．を配置することができる。
また、家具２４０には、強度のある天板２５０付きの扉２５１を付して図９のように非常時に開くことで地震から避難するスペースを得ることができるようにしてもよい。
【００２２】  図１１および図１２は他の実施形態を示す。同実施形態は、ビルの事務所や居住用マンション内などのフロアーに設置されて特別個室として各種機能するとともに地震で建造物が倒壊するようなことがあってもそれに耐え利用する人の命が守られるようにした特別ルームについてのものである。
【００２３】  ３００は緩衝フロアー材で、同フロアー材３００は上方からの衝撃がフロアー壁に緩和されて伝わるようにするためのもので、図１１の前面に敷設されているが特に負荷を受ける個所のみに限定してもよい。この緩衝フロアー材３００の上面を介してこの鉄骨構造の特別ルームが設置されている。特別ルームは、緩衝フロアー材３００上の底盤３０１を有し、その四隅にコーナー支柱３０２．．．を立設してある。底盤３０１は１枚ものとして図示されているが現場への搬入を考慮して分割式で現場接合式とするとともにその上面には図示しない所望の床敷きを設ける。
【００２４】  このコーナー支柱３０２は、Ｃ型鋼でなる２本の第１支柱３０３とそれらの間の第２支柱３０４からなる。第１支柱３０３は、コーナーの第２支柱３０４を介して互いに直交する関係で配置され、これらでなるコーナー支柱３０２が１つの柱として機能するようになっている。コーナー支柱３０２の各構成部材は個別に運搬可能で現場で相互結合可能とされている。このコーナー支柱３０２は、図例のものに限らず、例えば、図１１の右上欄に示すような大口径の四角（あるいは丸パイプ）３０２′その他の幾何学形状のパイプ、市販パイプの全てを選択して使用することができる。また、図１１の右上欄下段に示すようにアングルａ、ｂとその間柱材ｃの組み合わせによってコーナー支柱を構成してもよい。材質も木材あるいは樹脂、アルミ合金などを選択することができる。
【００２５】  これらの四隅のコーナー支柱３０２相互間は、図示しない床梁で連結することができる。床梁は、コーナー支柱３０２および底盤３０１に連結される。前記コーナー支柱３０２以外に、これらの隣り合う間には間柱３０６．．．が立設されている。
【００２６】  これらコーナー支柱３０２と間柱３０６の上端を通るようにして上部周り梁３０７．．．が横架連結されるとともに、間柱３０６の対向するもの同士は、図１１に仮想線で示すように十字形をなす上部主梁３０８．．．が横架連結されている。さらに、同図仮想線で示すように、Ｘ字形の上部防護梁３０９を追加施工してもよい。
尚、最上部には、ワイヤ（メッシュ状を含む）を張ったり、覆い部材３１０を設置して上方からの落下物がある場合に対処する。覆い部材３１０は緩衝部材であってもよい。
【００２７】  底盤３０１の平面中央位置には応接セットの１つであるセンターテーブル３１１が設けられるが、このセンターテーブル３１１の長手端部は、底盤３０１と前記上部主梁３０８との上下間に立設された一対の補助支柱３１２間を利用して固定されている。同補助支柱３１２は省略し、センターテーブル３１１は、底盤３０１側に固定して盲動しないようにしてもよい。内部支柱３１２を設けるがこれにセンターテーブル３１１を固定せず底盤３０１側に固定することもある。ここに「固定」とは粘着パッドによるものも含む（以下同様）。
【００２８】  応接セットの一方は、矢印のように後方へ倒すとベッドにもなるソファー３１３が設けられる一方、アームチェア３１４も設けられている。これらソファー３１３およびアームチェア３１４は、底盤３０１側に地震で盲動しないように固定しておく。この場合の固定は、内部支柱３１２に固定されたセンターテーブル３１１を基準にして同テーブル３１１との間で連結板を介して連結することもできる。また、これらソファー３１３やアームチェア３１４に対しては前記内部支柱３１２のような補助支柱により固定することもできる。
尚、前記センターテーブル３１１・ソファー３１３・アームチェア３１４などの応接セットは、それらに人が当たって怪我などをしないように外層を軟質な構成とする。このことは以下においても同様にいえる。
【００２９】  ３１６はデスクテーブルで、同テーブル３１６は、平面Ｌ形でコーナー支柱３０２や間柱３０６などを利用して横架固定する。３１７は作業用チェアである。デスクテーブル３１６は、その下部に耐震用の支え部材３１８を介して強力に支持されているとともにその上側は同じく耐震構造体を兼用する本収納ラック３１９が固定されている。尚、３２０は支え兼用収納ラックである。支え部材３１８も収納ラックを兼用する構造にしてもよい。例えば、支え部材３１８を対向状としその間に棚や扉などを構成したものでもよい。これらデスクテーブル３１６・作業用チェア３１７・支え部材３１８・本収納ラック３１９・支え兼用収納ラック３２０などの全ての表層はクッション材により軟質緩衝仕上げにしてある。
【００３０】  尚、これらでなる特別ルームは、鉄骨構造のみでもよいが、図１１に仮想線で示すように、コーナー支柱外面や間柱外面など少なくとも鉄骨部分が露出しないように表装材３２１を構成する。また、天井面には覆い部材３１０が設けられているが、図１２に仮想線で示すように、天井壁（階上床壁に相当）３２２との間に緩衝機能を備えた介装材３２３を詰めたりあるいは天井壁３２２との間に少しの上下寸法を置いて配備してもよい。介装材３２３は、緩衝機能層と負荷分散板層とを交互にサンドイッチ状に重ねたもので構成してもよい。負荷分散板は、上方からの負荷をその下側の緩衝機能層へ平面方向へ分散させて負荷が集中作用しないようにするためのもので、平坦な板状のものやパンチング板状のもの、あるいは波板状のものなどを選択する。さらに、前記実施形態では、応接セットを大
2008006279.tif 000004
後の比較的小規模なものでもよいし、平面形状が長四角のものやＬ形のものでもよい。
また、前記デスクテーブル３１６は辺の長いものでもよいが、図示のようにコーナー支柱３０２から間柱３０６間程度の辺長のものとし、あとは背の高い収納ラック３２４などにしてもよい。この場合、収納ラック（あるいは飾り棚）３２４は耐震構造としてルームの柱などに連結しその補強役を兼ねるようにしてもよい。
さらに、ルームの出入り口には、防災機能をもつカーテンや扉などを付してもよい。
【００３１】  図１３は他の実施形態を示す。同実施形態は、図１１および図１２のような内部構造を有するものであって、その内部を和室構成とするとともに、表装仕上げも和風玄関戸３２７を備え全体を和風に仕上げてなるものである。
【００３２】  図１４および図１５は他の実施形態を示す。同実施形態は、十字形の基材３３０とその周りを取り巻く形の底周り材３３１とで基枠部分を構成してその上にフロアー材３３２を敷設するとともに、四隅のコーナー支柱３３３．．．と間柱３３４．．．を立設し、これらの上部に同じく十字形の天材３３５と天周り材３３６を配備してこれらを一体連結してなる骨格の特別ルームになっている。
【００３３】  そして、適宜に矢印のように避難経路となる出入り口を残して表装材３３７で仕上げてある。また、内部には応接セット３３８やデスクテーブル３３９などを固定状態でセットしてなる。
【００３４】  こうした特別ルームには、リビングなどに設置可能な簡易型のサウナ３４１が同時装備されている。このサウナ３４１は、市販品そのものでもよいが、ここでは、耐震構造で単独で搬送可能なものにしてある。
【００３５】  すなわち、同サウナ３４１は、四角な底枠３４２と天枠３４３間をコーナー支柱３４４でつないで鉄骨サウナ枠を構成し、これらを基に、木質でなる外装材３４５・内装材３４６・天井材３４７や断熱材などで部屋を構成するとともに、内部には、長椅子３４８やサウナストーン付きストーブ３４９、所要の配電制御システムを内装し、さらにドア３５０を装備したものである。尚、非常用品（非常時飲食品類・非常灯・消火器具など）を常備しておいてもよい。
【００３６】  この実施形態では、ドア３５０を前面と横脇に併設し、前面のドア３５０を非常時に使用便利なものとする一方、横脇のドア３５０は、脱衣室３５１内で開閉されるようにして平常時は脱衣室３５１を使用してこの横脇のドア３５０によりサウナ３４１に出入りするようにされている。前面のドア３５０は非常時用のものであり、脱衣室３５１のない、開放側となっているので、避難が矢印のように容易かつ確実に行えるものである。しかし、ドア３５０は平常時と非常時に共用型の１つで構成することもある。
尚、脱衣室３５１にも図１４の仮想線のように柱などの耐震構造にすることもある。３５２は脱衣かごである。
【００３７】  図１６および図１７は他の実施形態を示す。同実施形態は、やや大型のサウナ３５５を特別ルームに一体型として構成したものである。サウナ３５５の室内が広いと地震時により多くの人が避難できることにつながる。
３５６はコーナー支柱、３５７は間柱であり、これらは、特別ルームの支柱を構成するとともに、図１６の左下角部の支柱３５８を追加するだけでサウナの４本支柱を構成することができる。支柱３５８は、特別ルームの中央支柱を兼用することもある。
【００３８】  サウナ３５５は、室内に数人が利用できるＬ形の椅子３６０が設けられるとともにその底部にはサウナストーブ３６１が設置されて室内に温熱を送るようになっている。３６２は非常用品入れである。そして、コーナー３５６や間柱３５７それに支柱３５８を利用してそれらの間に断熱材３６３を介装してその室内側を内壁材３６４で室外側を外壁材３６５でそれぞれ仕上げてある。３６６はサウナ内フロアー、３６７はドアである。
尚、ドア３６７は、図１６に仮想線で示すように、横脇側にも併設してもよい。
【００３９】  図１８は他の実施形態を示す。同実施形態は、四角枠と内部の十字枠とでなる底枠３７０と図示しない同じ枠形態の天枠とを備えたルーム骨格の上下間のコーナー支柱３７１をやや細めの支柱３７２．．．の４本を１組とするもので構成し、これらの支柱３７２に図示しない適宜の斜材などの補強を施して強固なものとすることにより１本のコーナー支柱３７１として大きく抵抗するものとし、これらのコーナー支柱３７１をルームの四隅に配備してなるものである。
【００４０】  これらのコーナー支柱３７１のそれぞれは、例えば、収納機能を有するものにしたりデスクとしての作業可能機能を有するものにすることができる。勿論、その１つあるいは複数を前記サウナとすることも可能である。３７３は応接セット、３７４はデスクテーブルである。
【００４１】  図１９および図２０は、図７に示す実施形態のフレームに同図右下欄の下連結材を組み合わせた耐震フレームに基づく避難用安全クローゼットで、実線で示す部分は金属製でその他の部分は主に木製のものになっている。
【００４２】  下連結材６００は十字形をしており、その上には４本の丸パイプ製の耐震フレーム６０１が基部溶接により立設固定されている。耐震フレーム６０１は、図１の右下欄では約５度程度傾斜した縦フレームになっていたが、この実施形態では、縦フレーム６０２は垂直になっている。左右一対の縦フレーム６０２の上端間は一体折り曲げにより上フレーム６０３が水平に設けられている。こうした門型耐震フレーム６０１を図１９の平面図のように四辺を形成するように配備するとともに、その上端間は、十字型をなす上連結材６０４で一体に連結してある。
【００４３】  下連結材６００の中央と上連結材６０４の中央との間には、固定支柱６０５が設けられ、同支柱６０５の上部回りを介して回転サークル６０６が設けられて衣服６０７がハンガー掛けされるようになっている。耐震フレーム６０１と上連結材６０４の形成する天井面上には、上からの防護と埃除けのための天井防護板６０８が装備され、同天井防護板６０８は固定されている。
【００４４】  尚、２本が平行になった縦フレーム６０２の周りには、飛び込んだ際の安全のためウレタンやゴムなどのクッションを上下に長いものとして外包装備することがある。
また、装置の中には、奥収納ケース６０９を設置しておくことがある。この場合、同ケース６０９は、内部に非常用食料や飲料水、報知品などを常備しておくと地震発生時などに有用である。また、同ケース６０９はそのまま椅子としても機能するが、避難で飛び込んだ際に避難者の脚に当らないように外面をソフトなもので仕上げるとよい。
この装置は、通常はクローゼットとして衣服収納に使える一方、地震が発生した際には図１９の下側で図２０の手前側からその内部空間に避難して安全を確保することができるようになっている。避難する際には内部が衣服類であるので、飛び込んでも非常に安全であるだけでなくこれら衣服類は外部からの害から避難者を有効に護る。
【００４５】  尚、仮想線で示すように、図２０の左右には、横収納ケース６１０が設けられ、同ケース６１０は、左右の耐震フレーム６０１に一部が嵌り込む状態とされるとともに図２０の手前方向に引出６１１．．．を引き出すことができるようになっている。その引出６１１の引き出し方向は図２０における内部避難空間の方向でもよい。また、横収納ケース６１０は、それ自体が耐震フレームを構成するようにしてもよい。その場合、同ケース６１０と耐震フレーム６０１とは連結可能にすると強度上有効になる。
【００４６】  前記横収納ケース６１０は、その一方のみでもよい。
また、６１２は上収納ケースで、安全クローゼットの上に横収納ケース６１０上にわたるように載置され、そのさらに上側には、弾性質の緩衝板６１３と上伝達板６１４とが載置されている。上収納ケース６１２と横収納ケース６１０間には、中間緩衝材６１５が介装されている。
さらに、上収納ケース６１２が設けられる場合、横収納ケース６１０の前面に登降用のステップ６１６．．．を備え付けておいて上収納ケース６１２内への収納・取出しを簡易化する。
【００４７】  前記横収納ケース６１０と上収納ケース６１２とを前記のように組み合わせる場合と、上収納ケース６１２なしで横収納ケース６１０のみで構成する場合とがある。上伝達板６１４付緩衝板６１３は、上収納ケース６１２なしで安全クローゼット上に直接載置する場合がある。上収納ケース６１２の引き出し内には、衣服やタオルなどが収納されてそれ自体が緩衝作用を発揮するので、前記上伝達板６１４・緩衝板６１３を省略することもある。
また、安全クローゼットの周りには、図１にも示すように周ガード手段を設けると外部からの防護機能が向上する。
さらに、前記横収納ケース６１０は、図１９において下向きにオーバーハングしてもよく、この場合、装置全体が安定化するとともに収納量も増える。
【００４８】  図２１および図２２の実施形態も安全クローゼットに関するもので、６１９は上連結板、６２０は下連結材で、同じもので構成され、これらは、中央の接合板６２１と同板６２１から斜め向き四方へ伸びた帯板６２２からなっている。接合板６２１と帯板６２２とは溶接（あるいは止着具）により一体式（あるいは脱着式）に取り付けられている。
【００４９】  上連結板６１９と下連結板６２０間には、前記実施形態（図１および図１９，２０）におけるよりも太径の支柱パイプ６２３が連結板６１９，６２０の中央部分に対して固着あるいは脱着自在に連結されている。この支柱パイプ６２３は、２００〜２５０ｍｍ径（あるいは２５０〜３００ｍｍ径前後でもよい）の丸パイプで、その外周上部には受けリング６２４上を介して回転サークル６２５が回転自在に設けられるとともに同サークル６２５を介して放射状のハンガー受け６２６．．．が張り出してある。これら受け６２６にはハンガー６２７．．．が掛けられる。回転サークル６２５は分割式で合体により支柱パイプ６２３まわりに別途取り付けられるようにしてもよい。
【００５０】  ６２８は外部縦フレームで、その上下のフランジを上下の帯板６２２に当てるとともに止着具６２９．．．により結合されている。この安全クローゼットは、支柱パイプ６２３を太径として上・下連結板６１９，６２０との組み合わせにより既に強力なフレーム体となっているので、前記外部縦フレーム６２８は剛体であることを必要としないが、外部からの防護フレームとしてまた補助的な強度フレームとして設けてある。したがって、外部縦フレーム６２８は帯板６２２とともに弾性変形で負荷に耐え得るものとされている。
尚、中央の支柱パイプ６２３は、細いパイプ（５０〜１００ｍｍ径）の複数本のパイプの寄せ合わせにより１本化したものとしてもよい。
また、上連結板６１９上には、緩衝材６３０とその上の伝達緩衝板６３１を備えれば衝撃を有効に緩和させる。
さらに、安全クローゼット周りには、前記のような周ガード板を備えて外部からの防護を図るようにしてもよい。
また、図１９，２０に示すような、横収納ケースや上収納ケースなどを付加することができる。
【００５１】  図２３および図２４の実施形態は、金属製あるいは木製などによる上板６３５および下板６３６の上下間にＥＰＳ製発泡スチロールでなる緩衝材６３７をサンドイッチしてなる天井盤６３８と底盤６３９を上下に水平に配備し、その間に４本の金属パイプ製の支柱６４０．．．を固定配備するとともに避難空間内部に回転サークル６４１を備え付けたものである。
【００５２】  前記天井盤６３８および底盤６３９のコーナー４箇所の一側面には、ＥＰＳでなる発泡スチロール製（あるいは木製とか樹脂製、金属製でもよい）の嵌め込みブロック６４２が止着具６４３の共締めによって取り付けられており、これら嵌め込みブロック６４２は支柱６４０の上下端部内に嵌め込まれるようになっている。この嵌め込みは容易に抜けない程度のものである。この嵌め込みだけで充分であるが、この実施形態では、支柱６４０の端部外周から扇形をした連結板６４４を突設し、これを上板６３５および下板６３６に対してそれぞれ複数本の止着具６４５により結合してある。これにより、支柱６４０と上板６３５並びに支柱６４０と下板６３６は互いに連結固定された関係になっている。
尚、前記回転サークル６４１は、それぞれ上板６３５と下板６３６から突設した上軸６４６と下軸６４７で固定されたポール６４８の外周に回転自在としてある。
また、嵌め込みブロック６４２は、支柱６４０．．．への位置合わせが確実に行えるように上板６３５（あるいは下板６３６）に対して水平方向に移動調節可能とする。さらに、同ブロック６４２の先端部は先細状にして支柱６４０に嵌め込み易くする。
【００５３】  尚、図２３に仮想線で示すように、避難空間の左右および奥側には、支柱６４０間に嵌り込むような発泡スチロール製の補強ブロック６５０を備えてもよい。同ブロック６５０は、段差状に形成してそのフランジ側を支柱６４０に連結するようにしてもよい。
また、図２３および図２４に仮想線で示すように、同じく支柱６４０間に嵌め込むような収納体６５１を装備してもよい。同収納体６５１は、木製でも金属製でも発泡スチロール製でもよく、取付片６５２により支柱６４０に脱着自在に嵌め込まれるようにされるとともに引き出し６５３．．．などの収納部を備える。この収納体６５１は、避難空間の左右および奥側のうちその全てあるいは選ばれた個所に設けることができる。
【００５４】  さらに、前記実施形態では上板６３５および下板６３６を嵌め込みにより支柱６４０に固定していたが、図２４の右欄に示すように、支柱６４０の上端に上下２枚の取付片６５４を突設して上板６３５および下板６３６を挟み込むようにして止着具６５５で連結するようにしてもよい。
前記中央の上軸６４６・下軸６４７およびポール６４８は、図２２に示す太径パイプ方式にしてもよい。
前記実施形態によれば、組み立てが簡単でしかも強度も充分であるとともに収納機能を備えたものになる。仮想線のように補強ブロック６５０や収納体６５１などを支柱６４０間に嵌め込めば強度アップになるだけでなく遮蔽構造になって倒壊時に避難空間内の避難者を防護することができる。
さらに、前記補強ブロック６５０は、図２３において下向きにオーバーハングしてもよく、この場合、装置全体が安定化するとともに収納量も増える。
【００５５】  図２５および図２６の実施形態は、底盤６５８の上に止着具６５９により木製の支柱６６０．．．を立設するとともに天井盤６６１を固定してなるもので、天井盤６６１上にはＥＰＳ製発泡スチロールでなる第１緩衝材６６２と一般低レベルの発泡スチロールでなる第２緩衝材６６３を上下に重ねたものを装備してなる。６６４は竿状のハンガー掛けである。尚、天井盤６６１には開口６６５が開けられて緩衝効果が上がるようにしてあるが開口なしにしてもよい。また、図２５および図２６に仮想線で示すように、安心クローゼットの外周には発泡スチロール製の防護材６６６を装備してもよい。さらに、図２６の左欄のように、天井盤６６１側に嵌め込みブロック６６７を備えそれをパイプ製の支柱６６８に嵌め込む方式にしてもよい。この場合、支柱６６８の外周には木目調被膜シールを張り付けることができる。また、図２５に仮想線で示すように、安心クローゼットは幅広型にしてもよい。６６９は固定アンカーで、畳を含むフロアーＦから床下板を貫通して床下地盤中に打ち込まれるあるいは埋め込まれる）もので押さえ板Ａと共にクローゼットを固定する。
【図面の簡単な説明】
【００５６】
【図１】本発明の一実施形態を示す斜視図。
【図２】付加的な他の提案例を示す斜視図。
【図３】他の実施形態を示す斜視図。
【図４】他の実施形態を示す正面図。
【図５】他の実施形態を示す正面図。
【図６】図５の収納ボックスを示す斜視図。
【図７】室内用シェルターの実施形態を示す斜視図。
【図８】図７の平面図。
【図９】シェルターの他の実施形態を示す平面図。
【図１０】図９の正面図。
【図１１】他の実施形態を示す図１２のＡ−Ａ線断面図。
【図１２】図１１の正面図。
【図１３】他の実施形態を示す斜視図。
【図１４】他の実施形態を示す図１５のＣ−Ｃ線断面図。
【図１５】図１４のＢ−Ｂ線断面図。
【図１６】他の実施形態を示す図１７の横断面図。
【図１７】図１６のＤ−Ｄ線断面図。
【図１８】他の実施形態を示す横断面図。
【図１９】他の実施形態を示す平面図。
【図２０】図１９の安心クローゼットの正面図。
【図２１】他の実施形態を示す平面図。
【図２２】図２１の正面図。
【図２３】他の実施形態を示す平面図。
【図２４】図２３の正面図。
【図２５】他の実施形態を示す平面図。
【図２６】図２５の正面図。
【符号の説明】
【００５７】５０…耐震フレーム  ５０ａ…縦フレーム  ５０ｂ…上フレーム  ５０ｃ…底フレーム  ５４…回転サークル。
【図１】
2008006279.tif 000005
【図２】
2008006279.tif 000006
【図３】
2008006279.tif 000007
【図４】
2008006279.tif 000008
【図５】
2008006279.tif 000009
【図６】
2008006279.tif 000010
【図７】
2008006279.tif 000011
【図８】
2008006279.tif 000012
【図９】
2008006279.tif 000013
【図１０】
2008006279.tif 000014
【図１１】
2008006279.tif 000015
【図１２】
2008006279.tif 000016
【図１３】
2008006279.tif 000017
【図１４】
2008006279.tif 000018
【図１５】
2008006279.tif 000019
【図１６】
2008006279.tif 000020
【図１７】
2008006279.tif 000021
【図１８】
2008006279.tif 000022
【図１９】
2008006279.tif 000023
【図２０】
2008006279.tif 000024
【図２１】
2008006279.tif 000025
【図２２】
2008006279.tif 000026
【図２３】
2008006279.tif 000027
【図２４】
2008006279.tif 000028
【図２５】
2008006279.tif 000029
【図２６】
2008006279.tif 000030